(57)【要約】【課題】表示装置への操作の可否に応じて操作画面の出力を制御可能な出力制御装置等を提供する。【解決手段】出力制御装置２００は、取得部２１１と、出力制御部２１２とを含む。取得部２１１は、表示面にコンテンツを表示するコンテンツ表示装置から、当該コンテンツ表示装置がユーザによる表示面へのタッチ操作を受け付け可能か否かを表す操作可否情報を取得する。出力制御部２１２は、取得部２１１により取得された操作可否情報に基づいて、ユーザによりコンテンツの操作に使用される操作画面のコンテンツ表示装置への出力を制御する。【選択図】図２
2018049330.tif 000002
【特許請求の範囲】
【請求項１】
表示面にコンテンツを表示するコンテンツ表示装置から、当該コンテンツ表示装置がユーザによる前記表示面への操作を受け付け可能か否かを表す操作可否情報を取得する取得手段と、
前記取得手段により取得された前記操作可否情報に基づいて、前記ユーザにより前記コンテンツの操作に使用される操作画面の前記コンテンツ表示装置への出力を制御する出力制御手段と、
を備えることを特徴とする出力制御装置。
【請求項２】
前記出力制御手段は、前記取得手段により取得された前記操作可否情報が、前記操作を受け付け可能である旨を表す場合、前記コンテンツとともに前記表示面に表示され、前記操作により操作される前記操作画面を前記コンテンツ表示装置に出力する、
ことを特徴とする請求項１に記載の出力制御装置。
【請求項３】
前記出力制御手段は、前記取得手段により取得された前記操作可否情報が、前記操作を受け付け不可能である旨を表す場合、前記操作画面を前記コンテンツ表示装置と異なる操作表示装置に出力する、
ことを特徴とする請求項１または２に記載の出力制御装置。
【請求項４】
前記操作可否情報は、前記コンテンツ表示装置が有する操作部が受け付けた操作に応じて前記コンテンツ表示装置が制御可能な前記コンテンツの処理を表す処理情報を含み、
前記出力制御手段は、前記取得手段により取得された前記操作可否情報に含まれる前記処理情報が表す前記処理に対応する操作対象を除いた前記操作画面を前記操作表示装置に出力する、
ことを特徴とする請求項３に記載の出力制御装置。
【請求項５】
前記操作可否情報は、前記コンテンツ表示装置の出力特性を表す特性情報を含み、
前記出力制御手段は、前記操作可否情報に含まれる前記特性情報に基づいて、前記コンテンツ表示装置への前記コンテンツの出力を制御する、
ことを特徴とする請求項１乃至４のいずれか１項に記載の出力制御装置。
【請求項６】
前記特性情報は、前記コンテンツ表示装置がカラー表示またはモノクロ表示のいずれの画面表示に対応するかを表し、
前記出力制御手段は、前記特性情報が表す前記画面表示に対応する前記コンテンツを前記コンテンツ表示装置に出力する、
ことを特徴とする請求項５に記載の出力制御装置。
【請求項７】
前記特性情報は、前記コンテンツ表示装置の前記表示面の輝度及びコントラストのうち少なくともいずれかを表し、
前記出力制御手段は、前記特性情報が表す前記輝度及びコントラストのうち少なくともいずれかに対応する前記コンテンツを前記コンテンツ表示装置に出力する、
ことを特徴とする請求項５に記載の出力制御装置。
【請求項８】
前記特性情報は、前記コンテンツ表示装置が音声出力可能か否かを表し、
前記出力制御手段は、前記特性情報が前記コンテンツ表示装置が音声出力可能でないことを表す場合、音声に対応するテキストを含む前記コンテンツを前記コンテンツ表示装置に出力する、
ことを特徴とする請求項５に記載の出力制御装置。
【請求項９】
前記操作は、前記表示面へのタッチ操作である、
ことを特徴とする請求項１から８のいずれか１項に記載の出力制御装置。
【請求項１０】
表示面にコンテンツを表示するコンテンツ表示装置から、当該コンテンツ表示装置がユーザによる前記表示面への操作を受け付け可能か否かを表す操作可否情報を取得する取得ステップと、
前記取得ステップにおいて取得された前記操作可否情報に基づいて、前記ユーザにより前記コンテンツの操作に使用される操作画面の前記コンテンツ表示装置への出力を制御する出力制御ステップと、
を備えることを特徴とする出力制御方法。
【請求項１１】
コンピュータを、
表示面にコンテンツを表示するコンテンツ表示装置から、当該コンテンツ表示装置がユーザによる前記表示面への操作を受け付け可能か否かを表す操作可否情報を取得する取得手段、
前記取得手段により取得された前記操作可否情報に基づいて、前記ユーザにより前記コンテンツの操作に使用される操作画面の前記コンテンツ表示装置への出力を制御する出力制御手段、
として機能させることを特徴とするプログラム。
【発明の詳細な説明】
【技術分野】
【０００１】
本発明は、出力制御装置、出力制御方法及びプログラムに関する。
【背景技術】
【０００２】
従来から、コンテンツをスクリーンに投影することにより、ユーザにコンテンツを提供するシステムがある。例えば、特許文献１には、人感センサによって人を検出した際に、コンテンツの輪郭の形状に形成されたスクリーンにコンテンツを投影する技術が開示されている。
【先行技術文献】
【特許文献】
【０００３】
【特許文献１】特開２０１１−１５０２２１号公報
【発明の概要】
【発明が解決しようとする課題】
【０００４】
しかしながら、特許文献１のような技術では、ユーザの在・不在に応じてコンテンツを出力することができるが、一方的なコンテンツの出力しかできない。従って、ユーザが投影されているコンテンツの操作を希望する場合、投影装置に設けられた操作部を操作することが考えられるが、ハードウェアキーの数が少ないなど、操作部の構成によってはコンテンツに対して十分な操作を行うことができないものもある。一方、一般的にコンテンツを表示可能な表示装置には、タッチパネルなど、表示装置の表示面へのタッチ操作を受け付け可能なものがある。このような表示装置の場合、コンテンツを操作するための操作画面を表示装置に表示するにより、ユーザが表示された操作画面をタッチ操作することが可能である。しかし、表示装置へのタッチ操作の可否に応じた操作画面の出力制御は、従来の技術では提案されていない。
【０００５】
本発明は、上述のような事情に鑑みてなされたものであり、表示装置への操作の可否に応じて操作画面の出力を制御可能な出力制御装置等を提供することを目的とする。
【課題を解決するための手段】
【０００６】
上記目的を達成するため、本発明に係る出力制御装置は、
表示面にコンテンツを表示するコンテンツ表示装置から、当該コンテンツ表示装置がユーザによる前記表示面への操作を受け付け可能か否かを表す操作可否情報を取得する取得手段と、
前記取得手段により取得された前記操作可否情報に基づいて、前記ユーザにより前記コンテンツの操作に使用される操作画面の前記コンテンツ表示装置への出力を制御する出力制御手段と、
を備えることを特徴とする。
【発明の効果】
【０００７】
本発明によれば、表示装置への操作の可否に応じて操作画面の出力を制御することができる。
【図面の簡単な説明】
【０００８】
【図１】本発明の実施形態１に係る出力制御システムの構成を示す概略図である。
【図２】実施形態に係る出力制御装置の構成を示す概略図である。
【図３】（ａ）は操作可否情報がタッチ操作を受け付け可能である旨を表す場合のコンテンツ表示装置の表示面の表示例を示す図、（ｂ）は出力制御装置のタッチパネル部の表示例を示す図である。
【図４】（ａ）は操作可否情報がタッチ操作を受け付け不可能である旨を表す場合のコンテンツ表示装置の表示面の表示例を示す図、（ｂ）は出力制御装置のタッチパネル部の表示例を示す図である。
【図５】実施形態に係る出力制御処理のフローチャートの一例を示す図である。
【図６】（ａ）は変形例に係るコンテンツ表示装置の外観図、（ｂ）は出力制御装置のタッチパネル部の表示例を示す図である。
【発明を実施するための形態】
【０００９】
以下、本発明の実施形態について図面を参照して説明する。
【００１０】
図１は、本発明の実施形態１に係る出力制御システム１の外観構成を示す図である。出力制御システム１は、コンテンツ表示装置１００と、出力制御装置２００と、記憶装置３００と、から構成される。
【００１１】
コンテンツ表示装置１００は、後述する表示面１０１にコンテンツを表示する装置である。コンテンツ表示装置１００は、例えば、ＬＣＤ（Liquid Crystal Display）、ＥＬ（Electroluminescence）ディスプレイなどの表示装置や、画像や映像を投影するプロジェクタなどの投影装置から構成される。また、コンテンツ表示装置１００は、ＬＣＤなどの表示部と、表示部の上に設けられたタッチパッドなどの入力部を備えるタッチパネルであってもよい。なお、コンテンツ表示装置１００が、ＬＣＤやＥＬディスプレイ、タッチパネルなどの表示装置である場合、その表示面１０１は、コンテンツが表示される画面である。また、コンテンツ表示装置１００が投影装置である場合、その表示面１０１は、コンテンツが投影される、壁やスクリーンなどの投影面である。
【００１２】
また本実施形態において、コンテンツ表示装置１００は、ユーザによる表示面１０１へのタッチ操作を受け付け可能なタイプと、ユーザによる表示面１０１へのタッチ操作を受け付け不可能なタイプと、のいずれかに分類される。タッチ操作を受け付け可能なコンテンツ表示装置１００は、例えば、タッチパネルや、モーションセンサなどにより投影面である表示面１０１へのタッチ操作を検出可能な投影装置である。なお、ユーザによる表示面１０１へのタッチ操作には、ユーザの手などの操作部による表示面１０１への直接の接触だけでなく、操作部が表示面１０１から所定の距離範囲内に位置することも含まれるものとする。また、タッチ操作を受け付け不可能なコンテンツ表示装置１００は、例えば、タッチパッドやモーションセンサを備えず、表示面１０１へのタッチ操作を検出不可能なＬＣＤやＥＬディスプレイなどの表示装置や投影装置である。
【００１３】
また本実施形態において、コンテンツ表示装置１００は、予め、自装置がユーザによる表示面１０１へのタッチ操作を受け付け可能か否かを表す操作可否情報を記憶する。また、コンテンツ表示装置１００は、有線または無線により出力制御装置２００と通信可能に接続される。そして、コンテンツ表示装置１００は、出力制御装置２００に操作可否情報を送信する。また、コンテンツ表示装置１００は、出力制御装置２００から出力されるコンテンツを表示面１０１に表示する。また、コンテンツ表示装置１００は、操作可否情報に基づいて出力制御装置２００から出力される操作画面を表示面１０１に表示する。
【００１４】
出力制御装置２００は、コンテンツ表示装置１００及び記憶装置３００と有線または無線により通信可能に接続され、コンテンツ表示装置１００が表示するコンテンツを記憶装置３００から取得し、コンテンツ表示装置１００に出力する。また、出力制御装置２００は、コンテンツ表示装置１００から操作可否情報を取得し、取得された操作可否情報に基づいて、ユーザがコンテンツの操作に使用する操作画面のコンテンツ表示装置１００への出力を制御する。
【００１５】
記憶装置３００は、ＨＤＤ（Hard Disk Drive）などの不揮発性メモリである。記憶装置３００は、コンテンツ表示装置１００が表示するコンテンツを記憶する。
【００１６】
次に、出力制御装置２００の構成について詳細に説明する。
【００１７】
図２は、出力制御装置２００の構成を示す概略図である。図２に示すように、出力制御装置２００は、制御部２０１と、記憶部２０２と、通信部２０３と、タッチパネル部２０４とから構成され、各部は、バス２０５により接続されている。
【００１８】
制御部２０１は、ＣＰＵ（Central Processing Unit）、ＲＯＭ（Read Only Memory)、ＲＡＭ（Random Access Memory）によって構成される。制御部２０１は、ＲＯＭに記憶されたプログラム（例えば、後述する出力制御処理に係るプログラム）を実行することにより、後述する取得部２１１、出力制御部２１２、操作受付部２１３の機能を実現する。
【００１９】
記憶部２０２は、ＨＤＤなどの不揮発性メモリである。
【００２０】
通信部２０３は、出力制御装置２００をコンテンツ表示装置１００及び記憶装置３００と通信可能に接続するための通信インターフェースから構成される。
【００２１】
タッチパネル部２０４は、液晶パネルなどの表示部と、表示部の上に配置されるタッチパッドなどの入力部とから構成される。後述する図４（ｂ）に示すように、タッチパネル部２０４は、コンテンツ表示装置１００に表示されているコンテンツを操作するための操作画面Ａを表示する。そして、タッチパネル部２０４は、ユーザの指などの操作部によるタッチ操作を受け付け、その操作信号を制御部２０１に出力する。タッチパネル部２０４は、本発明に係る操作表示装置の一例である。
【００２２】
次に、出力制御装置２００の制御部２０１の機能構成について説明する。図２に示すように、制御部２０１は、取得部２１１、出力制御部２１２、操作受付部２１３として機能する。
【００２３】
取得部２１１は、コンテンツ表示装置１００から操作可否情報を取得する。例えば、取得部２１１は、出力制御装置２００がコンテンツ表示装置１００と通信可能に接続され、コンテンツ表示装置１００の電源がオンになると、コンテンツ表示装置１００から操作可否情報を取得する。
【００２４】
出力制御部２１２は、取得部２１１により取得された操作可否情報に基づいて、ユーザがコンテンツの操作に使用する操作画面Ａのコンテンツ表示装置１００への出力を制御する。
【００２５】
例えば、出力制御部２１２は、取得部２１１により取得された操作可否情報が、タッチ操作を受け付け可能である旨を表す場合、コンテンツとともに表示面１０１に表示され、タッチ操作により操作される操作画面Ａをコンテンツ表示装置１００に出力する。図３（ａ）に操作可否情報がタッチ操作を受け付け可能である旨を表す場合のコンテンツ表示装置１００の表示面１０１の表示例、図３（ｂ）に出力制御装置２００のタッチパネル部２０４の表示例を示す。出力制御部２１２は、記憶装置３００から取得したコンテンツを表すコンテンツ画面Ｂと、そのコンテンツの操作に使用される操作画面Ａとをコンテンツ表示装置１００に出力する。そして、コンテンツ表示装置１００は、受け付けたコンテンツ画面Ｂと操作画面Ａとを、図３（ａ）に示すように１つの画面として表示面１０１に表示する。一方、出力制御部２１２は、図３（ｂ）に示すように、タッチパネル部２０４には操作画面Ａを出力しない。なお、図３（ｂ）に示す例において、出力制御部２１２は、何の画面も出力していないが、任意の画面をタッチパネル部２０４に出力してもよい。また、コンテンツ表示装置１００に図３（ａ）に示すように１つの画面として表示面１０１に表示した後、コンテンツ表示装置１００の図示しない記憶部に記憶させ表示させるようにし、出力制御装置２００をコンテンツ表示装置１００から取り外し可能としても良い。
【００２６】
また、出力制御部２１２は、取得部２１１により取得された操作可否情報が、タッチ操作を受け付け不可能である旨を表す場合、操作画面Ａをタッチパネル部２０４に出力する。図４（ａ）に操作可否情報がタッチ操作を受け付け不可能である旨を表す場合のコンテンツ表示装置１００の表示面１０１の表示例、図４（ｂ）に出力制御装置２００のタッチパネル部２０４の表示例を示す。出力制御部２１２は、記憶装置３００から取得したコンテンツを表すコンテンツ画面Ｂをコンテンツ表示装置１００に出力し、そのコンテンツの操作に使用される操作画面Ａをタッチパネル部２０４に出力する。
【００２７】
なお、図３（ａ）及び図４（ｂ）に示す例において、操作画面Ａは、コンテンツを操作するための操作対象の一例として、コンテンツの言語を選択するためのボタンＡ１〜Ａ３と、項目Ｉ１〜Ｉ６を選択するためのボタンＡ４〜Ａ９とを含む。例えば、ユーザがボタンＡ１を選択すると、出力制御部２１２は、日本語の字幕や吹き替えが含まれるコンテンツなど、日本語に対応するコンテンツをコンテンツ表示装置１００に出力する。また、ユーザがボタンＡ４〜Ａ９のいずれかを選択すると、出力制御部２１２は、選択されたボタンＡ４〜Ａ９に対応する項目Ｉ１〜Ｉ６が表す処理をコンテンツに対して実行する。例えば、項目Ｉ１〜Ｉ６は、コンテンツの画像の補正や、コンテンツの切替を表す。また、図３（ａ）及び図４（ｂ）に示す操作画面Ａは一例であり、出力制御部２１２は、表示されるコンテンツに応じた操作画面をタッチパネル部２０４または表示面１０１に出力する。
【００２８】
操作受付部２１３は、コンテンツ表示装置１００またはタッチパネル部２０４に表示された操作画面Ａに対するユーザの操作を受け付ける。例えば、図３（ａ）に示すように、出力制御部２１２が操作画面Ａをコンテンツ表示装置１００に出力した場合、操作受付部２１３は、コンテンツ表示装置１００から、ユーザのタッチ操作を表す操作信号を受け付ける。また、図４（ｂ）に示すように、出力制御部２１２が操作画面Ａをタッチパネル部２０４に出力した場合、操作受付部２１３は、タッチパネル部２０４から、ユーザのタッチ操作を表す操作信号を受け付ける。そして、上述したように、出力制御部２１２は、操作受付部２１３により受け付けられた操作信号が表す処理をコンテンツに対して実行する。
【００２９】
次に、本実施形態に係る出力制御装置２００の制御部２０１が実行する出力制御処理について説明する。図５は、本実施形態に係る出力制御処理のフローチャートの一例である。この出力制御処理は、例えば、タッチパネル部２０４を介して、記憶装置３００に記憶されたコンテンツの出力を指示するタッチ操作を受け付けたことを契機として開始される。
【００３０】
まず、取得部２１１は、コンテンツ表示装置１００の電源がオンか否かを判定する（ステップＳ１０１）。コンテンツ表示装置１００の電源がオンでないと判定した場合（ステップＳ１０１；Ｎｏ）、取得部２１１は、コンテンツ表示装置１００の電源がオンになるまで待機する。
【００３１】
次に、取得部２１１は、コンテンツ表示装置１００の電源がオンであると判定した場合（ステップＳ１０１；Ｙｅｓ）、コンテンツ表示装置１００から操作可否情報を取得する（ステップＳ１０２）。
【００３２】
出力制御部２１２は、ステップＳ１０２において取得された操作可否情報が、タッチ操作を受け付け可能である旨を表すか否かを判定する（ステップＳ１０３）。
【００３３】
出力制御部２１２は、操作可否情報が、タッチ操作を受け付け可能である旨を表すと判定した場合（ステップＳ１０３；Ｙｅｓ）、出力すべきコンテンツに対応する操作画面Ａをコンテンツ表示装置１００に出力する（ステップＳ１０４）。
【００３４】
出力制御部２１２は、操作可否情報が、タッチ操作を受け付け不可能である旨を表すと判定した場合（ステップＳ１０３；Ｎｏ）、出力すべきコンテンツに対応する操作画面Ａをタッチパネル部２０４に出力する（ステップＳ１０５）。
【００３５】
そして、出力制御部２１２は、コンテンツを記憶装置３００から取得し、コンテンツ表示装置１００に出力する（ステップＳ１０６）。
【００３６】
次に、出力制御部２１２は、タッチパネル部２０４を介してユーザからコンテンツの切替指示を受け付けたか否かを判定する（ステップＳ１０７）。コンテンツの切替指示を受け付けていないと判定した場合（ステップＳ１０７；Ｎｏ）、出力制御部２１２は、コンテンツ切替指示を受け付けるまで待機する。
【００３７】
出力制御部２１２は、コンテンツの切替指示を受け付けたと判定した場合（ステップＳ１０７；Ｙｅｓ）、ステップＳ１０３に戻ってその後の処理を繰り返す。
【００３８】
そして、制御部２０１は、例えば、ユーザから本処理の終了を表す指示を受け付けるまで上記の処理を繰り返し実行する。
【００３９】
以上説明したように、本実施形態に係る出力制御装置２００は、コンテンツ表示装置１００から取得した、タッチ操作を受け付け可能か否かを表す操作可否情報に基づいて、コンテンツ表示装置１００への操作画面Ａの出力を制御する。そのため、出力制御装置２００は、コンテンツ表示装置１００のタッチ操作の可否に応じた操作画面Ａを出力することができる。
【００４０】
また、出力制御装置２００は、コンテンツ表示装置１００がタッチ操作を受け付け可能な場合に、操作画面Ａをコンテンツ表示装置１００に出力する。そのため、ユーザは、コンテンツを見ながら同じ表示面１０１に表示される操作画面Ａを容易に操作することができる。
【００４１】
また、出力制御装置２００は、コンテンツ表示装置１００がタッチ操作を受け付け不可能な場合に、操作画面Ａをタッチパネル部２０４に出力する。そのため、ユーザは、コンテンツ表示装置１００がタッチ操作に対応していなくても、出力制御装置２００のタッチパネル部２０４によりコンテンツを容易に操作することができる。
【００４２】
以上で実施形態の説明を終了するが、上記実施形態は一例であり、出力制御装置２００の具体的な構成や出力制御処理の内容などが上記実施形態で説明したものに限られず、以下のような変形も可能である。
【００４３】
例えば、上記の実施形態において、出力制御装置２００は、コンテンツ表示装置１００がタッチ操作を受付不可能である場合、コンテンツを操作するための操作対象として、ボタンＡ１〜Ａ９を含む操作画面Ａをタッチパネル部２０４に出力する。しかし、出力制御装置２００は、コンテンツ表示装置１００が操作部を有する場合、その操作部が受け付けた操作に応じてコンテンツ表示装置１００が制御可能なコンテンツの処理に応じて、操作画面Ａに含まれる操作対象を変更してもよい。例えば、図６（ａ）に示すように、コンテンツ表示装置１００が、操作部としてハードウェアボタン１１０〜１３０を備えているとする。そして、コンテンツ表示装置１００は、ユーザがハードウェアボタン１１０〜１３０を押下操作すると、図３（ａ）及び図４（ｂ）に示すボタンＡ１〜Ａ３と同様の処理を実行する場合、ボタンＡ１〜Ａ３に対応する処理を表す処理情報を含む操作可否情報を保持する。そして、図６（ｂ）に示すように、出力制御装置２００は、コンテンツ表示装置１００から取得された操作可否情報に含まれる処理情報が表す処理に対応するボタンＡ１〜Ａ３を除いたボタンＡ４〜Ａ９を含む操作画面Ａをタッチパネル部２０４に出力してもよい。
【００４４】
また、上記の実施形態において、操作可否情報は、コンテンツ表示装置１００の出力特性を表す特性情報を含んでもよい。そして、出力制御装置２００は、操作可否情報に含まれる特性情報に基づいて、コンテンツ表示装置１００へのコンテンツの出力を制御してもよい。また、出力制御装置２００は、コンテンツ表示装置１００から特性情報を取得し、取得された特性情報に基づいて、コンテンツ表示装置１００へのコンテンツの出力を制御してもよい。
【００４５】
例えば、特性情報は、コンテンツ表示装置１００がカラー表示またはモノクロ表示のいずれの画面表示に対応するかを表してもよい。この場合、出力制御装置２００は、特性情報が表す画面表示に対応するコンテンツをコンテンツ表示装置１００に出力する。詳細には、記憶装置３００が、同じ内容のコンテンツであって、カラー表示に対応するカラーコンテンツと、モノクロ表示に対応するモノクロコンテンツとを記憶している。そして、出力制御装置２００は、特性情報が表す画面表示に対応するコンテンツを記憶装置３００から取得し、コンテンツ表示装置１００に出力することができる。
【００４６】
また、特性情報は、コンテンツ表示装置１００の表示面１０１の輝度及びコントラストのうち少なくともいずれかを表してもよい。この場合、出力制御装置２００は、特性情報が表す輝度及びコントラストのうち少なくともいずれかに対応するコンテンツをコンテンツ表示装置１００に出力する。詳細には、記憶装置３００は、同じ内容であって、輝度やコントラストが異なる複数のコンテンツを記憶している。そして、出力制御装置２００は、特性情報が表す輝度及びコントラストのうち少なくともいずれかに対応するコンテンツを記憶装置３００から取得し、コンテンツ表示装置１００に出力することができる。
【００４７】
また、特性情報は、コンテンツ表示装置１００が音声出力可能か否かを表してもよい。この場合、出力制御装置２００は、特性情報がコンテンツ表示装置１００が音声出力可能でないことを表すとき、音声に対応するテキストを含むコンテンツをコンテンツ表示装置１００に出力する。詳細には、記憶装置３００は、同じ内容であって、音声を含むコンテンツと、音声に対応するテキストを例えば字幕として含むコンテンツとをそれぞれ記憶している。そして、出力制御装置２００は、特性情報がコンテンツ表示装置１００が音声出力可能でないことを表すとき、音声に対応するテキストを含むコンテンツを記憶装置３００から取得し、コンテンツ表示装置１００に出力することができる。また、出力制御装置２００は、特性情報がコンテンツ表示装置１００が音声出力可能であることを表すとき、音声を含むコンテンツを記憶装置３００から取得し、コンテンツ表示装置１００に出力することができる。
【００４８】
また、出力制御装置２００は、複数のコンテンツ表示装置１００と通信可能に接続されていてもよい。そして、出力制御装置２００は、複数のコンテンツ表示装置１００の特性に基づいて、コンテンツの仕様に適したコンテンツ表示装置１００を選択し、選択されたコンテンツ表示装置１００にそのコンテンツを出力してもよい。これにより、出力制御装置２００は、コンテンツの表示や操作に適したコンテンツ表示装置１００を選択してコンテンツを表示することができる。
【００４９】
また、上記の実施形態において、コンテンツ表示装置１００がタッチ操作を受け付け可能でない場合、出力制御装置２００が操作画面Ａをタッチパネル部２０４に出力して表示する例について説明した。しかし、本発明に係る操作表示装置は、表示部が入力部と一体でなくてもよい。例えば、操作表示装置は、タッチパネルを含まないＬＣＤやＥＬディスプレイであってもよく、出力制御装置２００は、ユーザからの操作を受け付けるためのマウスやキーボードなどの入力部をさらに備えてもよい。
【００５０】
また、本発明に係る出力制御装置２００は、専用の装置によらず、通常のコンピュータを用いて実現可能である。例えば、コンピュータがプログラムを実行することで、出力制御装置２００を実現してもよい。出力制御装置２００の機能を実現するためのプログラムは、ＵＳＢ（Universal Serial Bus）メモリ、ＣＤ−ＲＯＭ（Compact Disc Read Only Memory）、ＤＶＤ（Digital Versatile Disc）、ＨＤＤ等のコンピュータ読み取り可能な記録媒体に記憶されてもよいし、ネットワークを介してコンピュータにダウンロードされてもよい。
【００５１】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００５２】
（付記１）
表示面にコンテンツを表示するコンテンツ表示装置から、当該コンテンツ表示装置がユーザによる前記表示面への操作を受け付け可能か否かを表す操作可否情報を取得する取得手段と、
前記取得手段により取得された前記操作可否情報に基づいて、前記ユーザにより前記コンテンツの操作に使用される操作画面の前記コンテンツ表示装置への出力を制御する出力制御手段と、
を備えることを特徴とする出力制御装置。
【００５３】
（付記２）
前記出力制御手段は、前記取得手段により取得された前記操作可否情報が、前記操作を受け付け可能である旨を表す場合、前記コンテンツとともに前記表示面に表示され、前記操作により操作される前記操作画面を前記コンテンツ表示装置に出力する、
ことを特徴とする付記１に記載の出力制御装置。
【００５４】
（付記３）
前記出力制御手段は、前記取得手段により取得された前記操作可否情報が、前記操作を受け付け不可能である旨を表す場合、前記操作画面を前記コンテンツ表示装置と異なる操作表示装置に出力する、
ことを特徴とする付記１または２に記載の出力制御装置。
【００５５】
（付記４）
前記操作可否情報は、前記コンテンツ表示装置が有する操作部が受け付けた操作に応じて前記コンテンツ表示装置が制御可能な前記コンテンツの処理を表す処理情報を含み、
前記出力制御手段は、前記取得手段により取得された前記操作可否情報に含まれる前記処理情報が表す前記処理に対応する操作対象を除いた前記操作画面を前記操作表示装置に出力する、
ことを特徴とする付記３に記載の出力制御装置。
【００５６】
（付記５）
前記操作可否情報は、前記コンテンツ表示装置の出力特性を表す特性情報を含み、
前記出力制御手段は、前記操作可否情報に含まれる前記特性情報に基づいて、前記コンテンツ表示装置への前記コンテンツの出力を制御する、
ことを特徴とする付記１乃至４のいずれか１つに記載の出力制御装置。
【００５７】
（付記６）
前記特性情報は、前記コンテンツ表示装置がカラー表示またはモノクロ表示のいずれの画面表示に対応するかを表し、
前記出力制御手段は、前記特性情報が表す前記画面表示に対応する前記コンテンツを前記コンテンツ表示装置に出力する、
ことを特徴とする付記５に記載の出力制御装置。
【００５８】
（付記７）
前記特性情報は、前記コンテンツ表示装置の前記表示面の輝度及びコントラストのうち少なくともいずれかを表し、
前記出力制御手段は、前記特性情報が表す前記輝度及びコントラストのうち少なくともいずれかに対応する前記コンテンツを前記コンテンツ表示装置に出力する、
ことを特徴とする付記５に記載の出力制御装置。
【００５９】
（付記８）
前記特性情報は、前記コンテンツ表示装置が音声出力可能か否かを表し、
前記出力制御手段は、前記特性情報が前記コンテンツ表示装置が音声出力可能でないことを表す場合、音声に対応するテキストを含む前記コンテンツを前記コンテンツ表示装置に出力する、
ことを特徴とする付記５に記載の出力制御装置。
【００６０】
（付記９）
前記操作は、前記表示面へのタッチ操作である、
ことを特徴とする付記１から８のいずれか１つに記載の出力制御装置。
【００６１】
（付記１０）
表示面にコンテンツを表示するコンテンツ表示装置から、当該コンテンツ表示装置がユーザによる前記表示面への操作を受け付け可能か否かを表す操作可否情報を取得する取得ステップと、
前記取得ステップにおいて取得された前記操作可否情報に基づいて、前記ユーザにより前記コンテンツの操作に使用される操作画面の前記コンテンツ表示装置への出力を制御する出力制御ステップと、
を備えることを特徴とする出力制御方法。
【００６２】
（付記１１）
コンピュータを、
表示面にコンテンツを表示するコンテンツ表示装置から、当該コンテンツ表示装置がユーザによる前記表示面への操作を受け付け可能か否かを表す操作可否情報を取得する取得手段、
前記取得手段により取得された前記操作可否情報に基づいて、前記ユーザにより前記コンテンツの操作に使用される操作画面の前記コンテンツ表示装置への出力を制御する出力制御手段、
として機能させることを特徴とするプログラム。
【符号の説明】
【００６３】
１…出力制御システム、１００…コンテンツ表示装置、１０１…表示面、１１０，１２０，１３０…ハードウェアボタン、２００…出力制御装置、２０１…制御部、２０２…記憶部、２０３…通信部、２０４…タッチパネル部、２０５…バス、２１１…取得部、２１２…出力制御部、２１３…操作受付部、３００…記憶装置
【図１】
2018049330.tif 000003
【図２】
2018049330.tif 000004
【図３】
2018049330.tif 000005
【図４】
2018049330.tif 000006
【図５】
2018049330.tif 000007
【図６】
2018049330.tif 000008